(57)【特許請求の範囲】
【請求項１】
ショーケース本体の断熱性を有する底部に設けられた排水穴と、排水穴に着脱自在で該排水穴の上端開口を被うように載置し、ゴミの排水穴への侵入を防止する排水網とを備えたショーケースの排水装置において、
前記排水網は排水穴内へ突出するドレントラップ部を有し、このドレントラップ部はドレン水の一部を滞留可能なドレン水滞留部と、ドレン水滞留部と一体成形され、該ドレン水滞留部をドレン水の流入側と流出側とに仕切る仕切部とを有し、ドレン水滞留部の滞留水が流入側−流出側間の気体流連通を遮断する
ことを特徴とするショーケースの排水装置。
【請求項２】
ショーケース本体の断熱性を有する底部に設けられた排水穴と、排水穴に着脱自在で該排水穴の上端開口を被うように載置し、ゴミの排水穴への侵入を防止する排水網と、排水穴にはめ込む排水パイプとを備えたショーケースの排水装置において、
前記排水網は排水穴内へ突出する仕切部と、前記ショーケース本体底部の上面における前記排水穴上端開口の全周囲部分に接する鍔部と、当該上面から上方に突出する網部とを有すると共に、該仕切部と鍔部と網部とを一体成形し、前記排水パイプはドレン水の一部を滞留可能なドレン水滞留部を有し、これら仕切部及びドレン水滞留部は、仕切部がドレン水滞留部をドレン水の流入側と流出側とに仕切り且つドレン水滞留部の滞留水が流入側−流出側間の気体流連通を遮断するドレントラップを構成する
ことを特徴とするショーケースの排水装置。
【請求項３】
前記排水網は、前記ショーケース本体底部の上面における排水穴上端開口の全周囲部分に接する鍔部と、当該上面から上方に突出する網部とを有する
ことを特徴とする請求項１記載のショーケースの排水装置。
【請求項４】
前記排水網は、前記排水穴に若干入り込み且つ排水穴の内面の一部に合致して、排水網の水平方向へのずれを防止する突出部を一体に有する
ことを特徴とする請求項１乃至請求項３の何れか一項に記載のショーケースの排水装置。
【発明の詳細な説明】
【０００１】
【発明の属する技術分野】
本発明は、冷蔵ショーケースからドレン水を排出するためのショーケースの排水装置、特にドレントラップ、排水網等の構造に関するものである。
【０００２】
【従来の技術】
冷蔵用のショーケースにおいては、天部、背部及び底部を有するケース本体が備わっており、ケース本体には断熱性が付与されている。そして、ケース本体内を冷凍機によって冷却し、ここに複数段の棚を設けるなどして商品を陳列している。このようなケース本体内には、蒸発器の除霜水、結露水等のドレン水が発生し、かかるドレン水を外部に排出するため、ケース本体底部に排水穴を設けると共に、底部上面に排水穴を最下位とする傾斜を設け、底部上面に落下したドレン水を排水穴から排水経路を介して外部に排出するようにしている。
【０００３】
また、ドレン水と共に、商品の包装材の切れ端、毛髪その他のゴミが排出穴に入り込むと、排水経路が詰まるため、排水穴の上端開口を被うように排水網が載置される。更に、排水経路を介して外部の臭気がケース本体内に流入したり、あるいはケース本体内の冷気が外部に流出しないように、従来は、ケース本体底部の下方に、排水穴と連通するＳ字型の排水ホース（Ｓ字ホース）をドレントラップとして設け、このＳ字ホースにドレン水の一部をトラップするようにしていた。
【０００４】
【発明が解決しようとする課題】
しかしながら、上記Ｓ字ホースをケース本体底部と床面との間に設けるためには、該底部を高くする必要があり、これによりケース本体のフロントが高くなり、その分、ケース本体前方の開口部の寸法が狭まり、設置面積当たりの有効内容積が減少した。また、ドレントラップを清掃する場合、まず、キックプレート（図１の符号１７参照）を取り外し、更にケース本体下の狭いスペースにてＳ字ホースを取り外したり、清掃後再び取り付ける必要があり、トラップ清掃作業が非常に面倒であった。更に、Ｓ字ホースは断熱性を有するケース本体底部外下方にあるため、冷水がトラップに溜まると、Ｓ字ホースの外表面に結露が生じ、これが床面に落下して溜まる。これを防ぐため、Ｓ字ホースの外表面に断熱材を張って対処しており、また、Ｓ字ホースを支持するための金具が必要であり、これらに相当のコストがかかった。
【０００５】
また、従来の排水網は、排水穴に載置された状態において、排水穴周りの底部上面に対し網を成す細長い桟材が点々と非連続的に接触するものであるため、排水網を持ち上げた際、排水網の側方に溜まったゴミが持ち上がらずに、排水穴に落下してしまう場合があった。更に、従来の排水網では、排水穴に対する位置ずれを防ぐため、別個の金具を付設しており、この金具を取り付ける手間及びコストがかかった。
【０００６】
本発明は以上の問題点に鑑みてなされたものであり、その目的は、ショーケースの有効内容積を拡大し、ドレントラップの清掃作業を容易化し、コスト的にも有利なショーケースの排水装置を提供することにある。
【０００７】
本発明の別の目的は、排水網の持ち上げ時にゴミが排水穴に落ちるようなことがなく、別個の部材を付設することなく排水網の位置ずれ防止することができるショーケースの排水装置を提供することにある。
【０００８】
【課題を解決するための手段】
上記課題を解決するため、請求項１に係る本発明では、ショーケース本体の断熱性を有する底部に設けられた排水穴と、排水穴に着脱自在で該排水穴の上端開口を被うように載置し、ゴミの排水穴への侵入を防止する排水網とを備えたショーケースの排水装置において、前記排水網は排水穴内へ突出するドレントラップ部を有し、このドレントラップ部はドレン水の一部を滞留可能なドレン水滞留部と、ドレン水滞留部と一体成形され、該ドレン水滞留部をドレン水の流入側と流出側とに仕切る仕切部とを有し、ドレン水滞留部の滞留水が流入側−流出側間の気体流連通を遮断することを特徴としている。
【０００９】
本発明に係るショーケースの排水装置によれば、ドレントラップが排水網の一部として形成されると共に、このドレントラップ部は断熱性を有するショーケース本体底部内、即ち排水穴内に収まる。そのため次のような諸効果が得られる。
（イ）ケース本体底部の下方にＳ字ホースを設ける必要がないため、該底部を低くしてショーケースのフロント高さを下げることにより、ショーケースの有効内容積を拡大することができる。
（ロ）ドレントラップ部の清掃は敷板（図１の符号１２ｃ参照）を外して排水網を洗浄するだけで済み、従来に比べドレントラップの清掃作業が格段に容易なものとなる。
（ハ）ドレントラップ部が断熱性を有するケース本体底部内の排水穴内に存在するため、従来のＳ字ホースのように断熱材を張る必要はなく、また、支持金具も不要である。
【００１０】
請求項２に係る本発明では、ショーケース本体の断熱性を有する底部に設けられた排水穴と、排水穴に着脱自在で該排水穴の上端開口を被うように載置し、ゴミの排水穴への侵入を防止する排水網と、排水穴にはめ込む排水パイプとを備えたショーケースの排水装置において、前記排水網は排水穴内へ突出する仕切部と、前記ショーケース本体底部の上面における前記排水穴上端開口の全周囲部分に接する鍔部と、当該上面から上方に突出する網部とを有すると共に、該仕切部と鍔部と網部とを一体成形し、前記排水パイプはドレン水の一部を滞留可能なドレン水滞留部を有し、これら仕切部及びドレン水滞留部は、仕切部がドレン水滞留部をドレン水の流入側と流出側とに仕切り且つドレン水滞留部の滞留水が流入側−流出側間の気体流連通を遮断するドレントラップを構成するドレントラップを構成することを特徴としている。
【００１１】
本発明に係るショーケースの排水装置によれば、ドレントラップが排水網の一部と排水パイプの一部とによってショーケース本体底部内に形成される。そのため、上記（イ）及び（ハ）の効果が得られる。
。
【００１２】
請求項３に係る本発明では、請求項１に係る本発明において、前記排水網は、前記ショーケース本体底部の上面における排水穴上端開口の全周囲部分に接する鍔部と、当該上面から上方に突出する網部とを有することを特徴としている。本発明に係るショーケースの排水装置によれば、排水網の鍔部が、ケース本体底部上面における排水口上端開口の全周囲部分に対し面接触し、ゴミが鍔部上に溜まるため、排水網を持ち上げた際、ゴミが排水穴に落下するようなことはない。
【００１３】
請求項４に係る本発明では、請求項１乃至請求項３の何れか一項に係る本発明において、前記排水網は、前記排水穴に若干入り込み且つ排水穴の内面の一部に合致して、排水網の水平方向へのずれを防止する突出部を一体に有することを特徴としている。本発明に係るショーケースの排水装置によれば、ずれ防止用の突出部が排水網と一体に形成されるため、別個の部材を付設する手間及びコストを削減することができる。
【００１４】
【発明の実施の形態】
図１は本発明を適用する冷蔵用のショーケースを概略的に示す縦断面説明図である。図２〜図６は本発明に係る第一実施形態の要部を示すもので、図２は排水装置の平面図、図３は図２のＡ−Ａ線断面図、図４〜図６は排水網の斜視図、側面図及び背面図、図７は排水パイプの斜視図である。
【００１５】
ショーケース１は、天部１０ａ、背部１０ｂ及び底部２０を有する縦断面コの字状のケース本体１０を備えており、ケース本体１０は内箱−外箱間に断熱材を充填して成る。ケース本体１０内には、商品を陳列するための複数段の棚１１が設けられ、ケース本体１０の左右両側には側板（図示せず）が設けられている。ケース本体１０内にはまた、天部１０ａ、背部１０ｂ及び底部２０の各内側面とほぼ平行で且つ若干距離をおいて天板１２ａ、背板１２ｂ及び敷板１２ｃが設けられ、これら天板１２ａ、背板１２ｂ及び敷板１２ｃとケース本体１０の各内側面との間に冷気を流通・循環させるためのダクト１２が形成されている。即ち、背部１０ｂ側のダクト１２内には冷却器１３が、底部２０側のダクト１２内には送風機１４がそれぞれ設置され、送風機１４は冷却器１３からの冷気がダクト１２内を上方に向かうよう送風する。この冷気は天部１０ａ側のダクト１２内を前方に進んだ後、吐出口１５から下方に向けて吹き出されると共に、下方の吸込口１６から再びダクト１２内へ取り込まれる。この吐出口１５から吸込口１６への空気流はケース本体１０前方の開口部にエアーカーテンを形成し、これによってケース本体１０内の冷気を前方外部に逃がさないようにしている。
【００１６】
ケース本体１０の底部２０における左右方向中央の前側には水平断面長円形状の排水穴２１が設けられており、この底部２０上面はここに落下したドレン水が排水穴２１に集まるよう排水穴２１上端を最下位として所要に傾斜付けらている。更に、底部２０上面には排水穴２１上端を通って左右方向に延びる排水溝２２が設けられており、この排水溝２２は、底部２０上面を前方の急斜面２２ａと後方の緩斜面２２ｂとによって縦断面三角形状に切り欠いたようにして形成されている。
【００１７】
排水穴２１には排水パイプ３０がはめ込まれている。この排水パイプ３０は、図７にも示されるように、排水穴２１に合致する水平断面長円形状の大径部３１と、大径部３１から段状に縮径し、排水穴２１から下方に突出する水平断面円形状の小径部３２とを有している。排水パイプ３０には更に、大径部３１の上端部からフランジ状に外側に突出し且つ排水溝２２の急斜面２２ａ及び緩斜面２２ｂを形成している内箱に接しており、後述する排水網４０の鍔部４２を受ける鍔受け部３３が設けられている。排水パイプ３０の小径部３２にはドレン水の排水先に通じる図示されない排水経路（排水管）が接続される。
【００１８】
排水穴２１にはまた、その上端開口を被うように硬質樹脂製の排水網４０が載置される。排水網４０は排水穴２１内に突出するドレントラップ部４１と、排水パイプ３０の鍔受け部３３と接するフランジ状の鍔部４２と、ケース本体１０の底部２０上面から上方に方形状に突出する網部４３と、網部４３の左右方向中央に設けられ、網部４３より更に上方に突出する板状の取手部４４と、緩斜面２２ｂに対応する鍔部４２の裏側から排水パイプ３０内に若干入り込む水平断面半長円形状の突出部４５とを備えている。
【００１９】
ドレントラップ部４１はドレン水の一部を滞留させるための水平断面長円形状のドレン水滞留部４１ａと、ドレン水滞留部４１ａにドレン水を流入させるドレン水流入部４１ｃと、ドレン水滞留部４１ａからドレン水を流出させるドレン水流出部４１ｄと、ドレン水流入部４１ｃ−ドレン水流出部４１ｄ間をこれらがほぼＵ字を成すように仕切る仕切部４１ｂとを有している。そして、排水口２１に入りドレン水滞留部４１ａにトラップされたドレン水の水位が仕切部４１ｂの下端を上回ると（通常上回るように設計されている。）、ドレン水流入部４１ｃ−ドレン水流出部４１ｄ間、即ち、ケース本体１０内−排水先間における気体流の連通は遮断される。これにより排水先の臭気が排水経路及び排水穴２１を介してケース本体１０内に侵入したり、ケース本体１０内の冷気が排水穴２１から外部に逃げるようなことはなくなる。
【００２０】
また、排水網４０の鍔部４２は、ケース本体１０の底部２０上面、更に詳しくは排水溝２２の急斜面２２ａ及び緩斜面２２ｂを形成する内箱上面における排水穴２１の上端開口全周に亘って面接触している。このように排水網４０の鍔部４２と底部２０上面とが面接触しているため、ドレン水は鍔部４２−底部２０上面間を通過できず、ドレン水は鍔部４２の上方から必ず網部４３を通過するため、ゴミの排水穴２１内への侵入を確実に防止することができる。更に、取手部４４から排水網４０を持ち上げた際、網部４３の側方に溜まったゴミは鍔部４２によって持ち上げられるため、従来の排水網のように、ゴミの塊が排水穴に落ちてしまうようなことはない。更にまた、突出部４５は排水パイプ３０の内面に部分的に合致し、これにより排水網４０の水平方向への位置ずれを防止する。この突出部４５は排水網４０と一体成形されるものであるため、従来の排水網のように位置ずれ防止のために別個の部材を付設する必要はない。
【００２１】
図８〜図１４は本発明に係る第二実施形態の要部を示すもので、図８は水装置の平面図、図９は図８のＢ−Ｂ線断面図、図１０及び図１１は排水網の側面図及び背面図、図１２〜図１４は排水パイプの平面図、側面図及び背面図である。尚、本実施形態において、ショーケースに関する部分は第一実施形態と共通するため、同じ符号を用いる。
【００２２】
ケース本体１０の底部２０に設けられた排水穴２１には排水パイプ５０がはめ込まれると共に、排水穴２１上には排水網６０が載置され、これら排水パイプ５０及び排水網６０は後述するドレントラップを構成する。排水パイプ５０は、排水穴２１に合致する水平断面長円形状の大径部５１と、大径部５１から段状に縮径し、排水穴２１から下方に突出する水平断面円形状の小径部５２と、大径部５１の上端部からフランジ状に外側に突出し且つ排水溝２２の急斜面２２ａ及び緩斜面２２ｂと接している鍔受け部５３とを有している。排水パイプ５０の小径部５２にはドレン水の排水先に通じる図示されない排水管が接続される。
【００２３】
排水パイプ５０の大径部５１内には、ドレン水の一部を滞留させるためのドレン水滞留部５４が設けられている。このドレン水滞留部５４は大径部５１の水平断面領域のほぼ２／３を占めている。大径部５１内にはまた、後述する排水網６０の仕切部６１のずれを防止する突出板５５が設けられている。
【００２４】
一方、排水網６０には排水穴２１内へ突出する仕切部６１が設けられており、この仕切部６１は排水パイプ５０のドレン水滞留部５４と共にドレントラップを成す。即ち、仕切部６１はドレン水滞留部５４を、ドレン水が流入するドレン水流入部５４ａとドレン水が流出するドレン水流出部５４ｂとに仕切る。そして、排水口２１に入りドレン水滞留部５４にトラップされたドレン水の水位が仕切部６１の下端を上回ると、ドレン水流入部５４ａ−ドレン水流出部５４ｂ間、即ち、ケース本体１０内−排水先間における気体流の連通は遮断される。これにより排水先の臭気が排水経路及び排水穴２１を介してケース本体１０内に侵入したり、ケース本体１０内の冷気が排水穴２１から外部に逃げるようなことはなくなる。
【００２５】
排水網６０には更に、第一実施形態における排水網４０と同様の鍔部６２、網部６３、取手部６４及び突出部６５が備わっている。
【００２６】
【発明の効果】
以上詳述したように、請求項１に係る本発明によれば、ドレントラップが排水網の一部として形成されると共に、このドレントラップ部は断熱性を有するショーケース本体底部内に収まるため、次のような諸効果が得られる。
（イ）ケース本体底部の下方にＳ字ホースを設ける必要がないため、該底部を低くしてショーケースのフロント高さを下げることにより、設置面積当たりのショーケースの有効内容積を拡大することができる。
（ロ）ドレントラップ部を排水網共々洗浄することができ、従来のように排水網とは独立に狭い空間でＳ字ホースを取り外すなどした作業に比べ、ドレントラップの清掃作業が格段に容易なものとなる。
（ハ）ドレントラップ部が断熱性を有するケース本体底部内の排水穴内に存在するため、従来のＳ字ホースのように断熱材を張る必要はなく、また、支持金具も不要であり、コストを下がることができる。
【００２７】
請求項２に係る本発明によれば、ドレントラップが排水網の一部と排水パイプの一部とによってショーケース本体底部内に形成されるため、上記（イ）及び（ハ）の効果を得ることができる。
【００２８】
請求項３に係る本発明によれば、排水網の鍔部が、ケース本体底部上面における排水口上端開口の全周囲部分に対し面接触し、ゴミが鍔部上に溜まるため、排水網を持ち上げた際、ゴミが排水穴に落下するようなことはない。
【００２９】
請求項４に係る本発明によれば、ずれ防止用の突出部が排水網と一体に形成されるため、位置ずれ防止用の別個の部材を付設する手間及びコストを削減することができる。
【図面の簡単な説明】
【図１】本発明を適用するショーケースの縦断面説明図
【図２】排水穴に載置した排水網を示す平面図
【図３】図２のＡ−Ａ線断面図
【図４】排水網の斜視図
【図５】排水網の側面図
【図６】排水網の背面図
【図７】排水パイプの斜視図
【図８】排水穴に載置した別の排水網を示す平面図
【図９】図８のＢ−Ｂ線断面図
【図１０】排水網の側面図
【図１１】排水網の背面図
【図１２】別の排水パイプの平面図
【図１３】排水パイプの側面図
【図１４】排水パイプの背面図
【符号の説明】
１…ショーケース、１０…ケース本体、２０…底部、２１…排水穴、３０、５０…排水パイプ、４０、６０…排水網、４１…トラップ部、４１ａ、５４…ドレン水滞留部、４１ｂ、６１…仕切部、４１ｃ、５４ａ…ドレン水流入部、４１ｄ、５４ｂ…ドレン水流出部、４２、６２…鍔部、４３、６３…網部、４４、６４…取手部、４５、６５…突出部
【図１】
0003679971.tif 000002
【図２】
0003679971.tif 000003
【図３】
0003679971.tif 000004
【図４】
0003679971.tif 000005
【図５】
0003679971.tif 000006
【図６】
0003679971.tif 000007
【図７】
0003679971.tif 000008
【図８】
0003679971.tif 000009
【図９】
0003679971.tif 000010
【図１０】
0003679971.tif 000011
【図１１】
0003679971.tif 000012
【図１２】
0003679971.tif 000013
【図１３】
0003679971.tif 000014
【図１４】
0003679971.tif 000015